(57)【特許請求の範囲】
【請求項１】
厨芥を投入する投入口部を有する本体容器と、前記投入口部から投入された厨芥を攪拌する回転攪拌部と、前記回転攪拌部を駆動する駆動部と、前記本体容器から臭気成分が排気される排出口、前記排出口に設けられ虫を殺虫するための殺虫板を有する駆除部とを備え、厨芥の処理によって発生した臭気成分は、前記殺虫板を通過後、外部に排気される構成とした厨芥処理装置。
【請求項２】
駆除部には、虫等を一方向にだけ通過させて捕獲するトラップ部と、虫等の死骸を処理槽に排出する排出口とを設けるとともに、投入口部を覆う開閉蓋には、殺虫板を取り付けて、前記排出口と前記処理槽との間を開閉する構成とした請求項１記載の厨芥処理装置。
【発明の詳細な説明】
【０００１】
【産業上の利用分野】
本発明は、個人住宅や集合住宅等の厨房より排出される厨芥等を処理する厨芥処理装置に関するものである。
【０００２】
【従来の技術】
従来、個人住宅や集合住宅の厨房より排出される厨芥等の生ごみは、ディスポーザ等で固形物を搬送水とともに粉砕処理して厨芥スラリとして下水道に排水する方法以外に適当な処理方法が見当たらず、しかもこの厨芥スラリには粉砕物が多量に含まれ、下水管の目詰まりや放流河川の水質汚染等を発生させるという問題があって実用化が困難になっている。このような事情を背景に最近、厨芥を処理槽内で攪拌、混合し、微生物により厨芥を分解させる厨芥処理技術が（実開平２ー１２９１号公報）が提案された。この技術は処理槽内に設けた攪拌羽根で厨芥を攪拌しながら、処理槽内に棲息する好気性微生物によって気体と水分に分解するものである。また、微生物を棲息しやすくして厨芥の分解速度を早くするために、微生物を微生物担体に担持し、微生物担体と共に厨芥を攪拌、混合し分解させる厨芥処理技術もある。
【０００３】
【発明が解決しようとする課題】
しかしながら、この微生物によって厨芥を分解する方法は、微生物の棲息状態を良好に保つことが難しく、良好に保つことができていない場合は、嫌気的な分解になり異臭を発生する。従来、この異臭を取り除くためオゾンや活性炭等による脱臭、もしくは中和剤等が用いられている。しかし、臭いの成分は完全には消滅せず厨芥処理装置の排気口より外気に放出されている。その結果、厨芥処理装置の周辺特に排気口付近ではハエ、ショウジョウバエ等が群がってくる。従来、排気口付近には、この虫等の装置内への侵入を防ぐためにフィルター等の仕切を設置していたため、虫等は装置付近で飛び回っていたのである。また、フィルター等の仕切を設置していない装置においては、装置内に虫等が侵入し、死骸等が残り不衛生となっていた。また、処理槽内まで侵入した虫は、微生物担体や厨芥に卵を産みつけ、虫の発生の原因となっていた。
【０００４】
本発明は上記従来の問題点を解決するものであり、厨芥処理装置周辺、特に排気口付近の虫等を捕獲、駆除し、自動的に処理する衛生的な厨芥処理装置を提供することを目的とするものである。
【０００５】
【課題を解決するための手段】
上記目的を達成するために本発明の厨芥処理装置は、厨芥を投入する投入口部を有する本体容器と、前記投入口部から投入された厨芥を攪拌する回転攪拌部と、前記回転攪拌部を駆動する駆動部と、前記本体容器から臭気成分が排気される排出口、前記排出口に設けられ虫を殺虫するための殺虫板を有する駆除部とを備え、厨芥の処理によって発生した臭気成分は、前記殺虫板を通過後、外部に排気される構成としたものである。
【０００６】
また、駆除部には、虫等を一方向にだけ通過させて捕獲するトラップ部と、虫等の死骸を処理槽に排出する排出口とを設けるとともに、投入口部を覆う開閉蓋には、殺虫板を取り付けて、前記排出口と前記処理槽との間を開閉する構成としたものである。
【０００７】
【作用】
本発明の厨芥処理装置によれば、漏れた臭気を感知したハエ、ショウジョウバエ等の虫は、内部に侵入し殺虫板付近に達するが、この侵入した虫等は、殺虫板に接触することによって駆除されることになる。これにより、厨芥処理装置周辺に飛び交うハエ、ショウジョウバエ等の虫を捕獲して駆除することができる。
【０００８】
また、駆除部には、虫等を一方向にだけ通過させて捕獲するトラップ部と、虫等の死骸を処理槽に排出する排出口とを設けるとともに、投入口部を覆う開閉蓋には、殺虫板を取り付けて排出口と処理槽との間を開閉するから、捕獲した虫等を殺虫板で駆除し、駆除された虫等の死骸を手で触れることなく処理槽に排出して、処理槽で処理することができる。
【０００９】
【実施例】
以下本発明の実施例の詳細を図面に基づいて説明する。図１（ａ）は本発明の一実例における厨芥処理装置の外観図で、図１（ｂ）は本発明の一実施例における厨芥処理装置の正面断面図で、図１（ｃ）は本発明の一実施例における厨芥処理装置の駆除部の構造図である。図１（ａ）、（ｂ）、（ｃ）において１は厨芥処理装置、２は開閉蓋、３はオガクズ、木片チップ等の微生物担体、４は回転攪拌部、５は駆動ベルト、６は駆動部、７ａはヒーター、７ｂは吸気ファン、８は投入口部、９は処理槽、１０は脱臭剤である。１２は駆除部で、トラップ部１１、殺虫板１３、排気口部１４及び排出口１６で構成される。１５は開閉蓋２に設けられた回転板である。
【００１０】
厨芥処理装置１は投入口部８を備えた本体容器からなり、本体容器は開閉蓋２、微生物担体３、回転攪拌部４及び処理槽９で構成されている。この処理槽９の一部の開口には排出口１６を設けた駆除部１２を密接して設けている。この実施例で使用した処理槽９は通常家庭で使用される程度の大きさで、その内容積は約５５リットル程度である。処理槽９には微生物が担持された微生物担体３が所定量貯蔵されている。この微生物は好気性環境下で活動する種類のもので、輪虫、線虫、原虫等の虫類と、球菌等の菌類等に分類されるものである。また、処理槽９には回転攪拌部４が設けられ駆動部６によって駆動ベルトを介して回転駆動される。回転攪拌部４には攪拌羽根が設けられており、この攪拌羽根によって微生物等と微生物担体３を攪拌、混合して微生物と厨芥との接触頻度を多くしたり、微生物と空気との接触を多くしてより好気的状態を実現している。以下厨芥と微生物担体３のこのような混合物を厨芥混合物という。この回転攪拌部４の回転速度は３〜３０ｒｐｍ程度でよく、厨芥の投入時に約５分間程度回転し、その後約１時間毎に約１分間回転するようにするのがよい。このように間欠回転によって厨芥が効果的に分解される。好気性微生物が活発に活動するためには温度が２０〜６０℃程度で含水率は４０〜６０％程度の範囲にあり、常に新鮮な空気に接触していることが好ましい。吸気ファン７ｂは微生物を好気性環境下で棲息させるために、常に新鮮な外気を吸気している。吸気ファン７ｂは外部から新鮮な空気を吸気するが、厨芥の分解によって発生する水分や炭酸ガス、アンモニア等の臭気成分は処理槽９の一部に設けられた排出口１６と、排出口１６に密接した殺虫板１３を通過し、駆除部１２に設けた排気口部１４から外部に排気される。これによって臭気成分が処理槽９に滞留するのを防ぐのである。また、処理槽９には脱臭剤１０が設けてあり、ある程度の臭気成分はここで脱臭される。
【００１１】
殺虫板１３は開閉蓋２の内側に下方側に向かってほぼ直角に固定して設けられた回転板１５の一部に設けられている。開閉蓋２を図１（ａ）の矢印２ａのように上方に開くと、開閉蓋２の内側に固定された回転板１５は斜め上方に回動する。このとき回転板１５の一部に設けられた殺虫板１３は矢印１３ａに示すように排出口１６をスライドしながら排出口１６を開放状態にする。開閉蓋２を閉じると回転板１５は斜め上方から下方に回動する。このとき回転板１５の一部に設けられた殺虫板１３は矢印１３ａに示すように排出口１６を斜め下方にスライドして排出口１６に密接して覆う。殺虫板１３は臭気成分や水分は通過するが、虫等は通さない程度のメッシュ状のもので、その材質は金属やプラスチック等でもよい。この殺虫板１３にはピレスロイド系の薬品、例えばピレトリン、フタルスリン、ペルメトリン、レスメトリン等の薬品が塗布されており、虫等にはこの殺虫板１３に接触すると死ぬものや、殺虫板１３から揮発する揮発成分によって死ぬもの等がある。駆除部１２の内部にはトラップ部１１が設けられている。トラップ部１１は図１（ｃ）に示したように四角錐状または一端絞り状の構造で、排気口部１４側に広く開口して設けられて、虫等を一方向にだけ通過させ、一度侵入すると簡単には戻れないような構造となっている。またこの駆除部１２の排出口１６側には虫等の死骸が滑落して排出口１６近傍に集まるように傾斜面を設けてある。
【００１２】
厨芥処理が行われて有機物が分解され、臭気成分が処理槽９に発生してくると、臭気成分が少ないときには脱臭剤１０によって脱臭されるが、僅かな臭気成分が外部に漏れることもある。排気口部１４から漏れた臭気を感知したハエ、ショウジョウバエ等の虫は厨芥処理装置１の周辺や排気口部１４に多く集まってくる。排気口部１４には、虫等が侵入できる程度の隙間を開けてあるため、虫等は厨芥処理装置１内に設けたトラップ部１１を通過してさらに内部に侵入し殺虫板１３付近に達する。この侵入した虫等は、殺虫板１３に接触、もしくは駆除部１２内の揮発成分によって駆除されることになる。駆除された虫等はこの駆除部１２内の排出口１６付近に落下するが、開閉蓋２を上方に回動させて開けることにより、開閉蓋２の内側に取り付けられた殺虫板１３は排出口１６をスライドしながら排出口１６を開放状態にする。これによって駆除されて排出口１６の周辺部に落下して駆除部１２の傾斜面と殺虫板１３の間に貯まった虫等は処理槽９内に滑落して排出される。処理槽９内に排出された虫等の死骸は厨芥と同様に微生物により分解される。
【００１３】
ここで、殺虫板１３は開閉蓋２に固定せずに独立して設け、制御部の制御によりソレノイド、モーター弁等で開閉される構造にするのでもよい。また、虫等の捕集効果を高めるため、駆除部１２内に集虫灯を設けたり、駆除効果を高めるために殺菌灯等を設けるのもよい。
【００１４】
【発明の効果】
以上から明らかなように本発明の請求項１記載の発明によれば、厨芥処理装置の排気口付近の虫等を効果的に捕獲して駆除することができ、飛び交う虫等に悩まされることのない衛生的な厨芥処理装置を提供することができる。
【００１５】
また、本発明の請求項２記載の発明によれば、駆除した虫等の死骸を厨芥と共に容易に衛生的に処理することができる。
【図面の簡単な説明】
【図１】（ａ）本発明の一実施例における厨芥処理装置の外観図
（ｂ）本発明の一実施例における厨芥処理装置の正面断面図
（ｃ）本発明の一実施例における厨芥処理装置の駆除部の構造図
【符号の説明】
１  厨芥処理装置
２  開閉蓋
３  微生物担体
４  回転攪拌部
５  駆動ベルト
６  駆動部
７ａ  ヒーター
７ｂ  吸気ファン
８  投入口部
９  処理槽
１０  脱臭剤
１１  トラップ部
１２  駆除部
１３  殺虫板
１４  排気口部
１５  回転板
１６  排出口
【図１】
0003620111.tif 000002